(57)【要約】【課題】常にその使用者に斬新な興味を抱かせることが可能な端末装置等を提供する。【解決手段】情報表示システムＳの携帯電話機ＭＰは、地理的位置情報に関連付けられた地理的関連画像を記憶する記憶部２１と、ネットワークＮＷを介して情報配信を受けるための処理を開始させる開始部２２と、情報配信に係る被提供情報を受信する通信部１１と、現在位置を示す現在位置情報を取得する位置情報取得部１６と、現在位置情報に基づいて地理的位置情報を特定する特定部１７と、特定された地理的位置情報に関連付けられた地理的関連画像であって、受信された被提供情報に関連する地理的関連画像を抽出する関連画像抽出部１８と、抽出された地理的関連画像を被提供情報と共に表示部１２に表示する表示制御部２０と、を備える。【選択図】図１
2010277326.tif 000002
【特許請求の範囲】
【請求項１】
表示画面を有する表示手段を備えた端末装置であって、
地理的位置情報に関連付けられた地理的関連画像を記憶する記憶手段と、
ネットワークを介して情報配信を受けるための処理を開始させる開始手段と、
前記情報配信に係る被提供情報を受信する受信手段と、
前記端末装置の現在位置を示す現在位置情報を取得する現在位置情報取得手段と、
前記取得された現在位置情報に基づいて前記地理的位置情報を特定する特定手段と、
前記特定された地理的位置情報に関連付けられた前記地理的関連画像であって、前記受信された被提供情報に関連する前記地理的関連画像を抽出する関連画像抽出手段と、
前記抽出された地理的関連画像を前記受信された被提供情報と共に前記表示画面に表示する表示制御手段と、
を備えることを特徴とする端末装置。
【請求項２】
請求項１に記載の端末装置において、
前記地理的関連画像が前記被提供情報の内容に応じて管理されている当該地理的関連画像であることを特徴とする端末装置。
【請求項３】
請求項１又は２に記載の端末装置において、
前記地理的関連画像は、地域の範囲を示す地域範囲情報で示される地域に関連する地域関連画像であり、
前記記憶手段は、前記地域範囲情報と前記地域関連画像とを対応付けて記憶し、
前記関連画像抽出手段は、前記取得された現在位置情報によって示される前記現在位置が含まれる前記地域の範囲を示す前記地域範囲情報と、前記受信された被提供情報と、に基づいて前記地域関連画像を抽出することを特徴とする端末装置。
【請求項４】
請求項１から３のいずれか一項に記載の端末装置において、
前記処理は、前記端末装置から前記情報配信の配信元に接続するためのネットワーク接続処理であり、
前記被提供情報は、前記ネットワーク接続処理が確立したときに前記情報配信を受けるための初期画面情報であることを特徴とする端末装置。
【請求項５】
請求項１から３のいずれか一項に記載の端末装置において、
前記処理は、前記情報配信の配信元に地図情報の配信を要求するための処理であり、
前記被提供情報は、前記要求された地図情報であることを特徴とする端末装置。
【請求項６】
請求項１から５のいずれか一項に記載の端末装置において、
前記記憶手段は前記取得された現在位置情報を記憶すると共に、
前記取得された現在位置情報と、前記記憶されている現在位置情報と、を比較する比較手段を更に備え、
前記関連画像抽出手段は、前記比較された現在位置情報が互いに異なる場合に前記地理的関連画像を抽出することを特徴とする端末装置。
【請求項７】
請求項１から６のいずれか一項に記載の端末装置において、
現在の時刻を示す時刻情報を取得する時刻情報取得手段を更に備え、
前記表示制御手段は、前記取得した時刻情報に応じて前記地理的関連画像の背景の色調を変更することを特徴とする端末装置。
【請求項８】
請求項１から７のいずれか一項に記載の端末装置において、
前記記憶手段は、前記地域に付随する付随情報を前記地域範囲情報に関連付けて記憶し、
前記表示制御手段は、前記地理的関連画像と共に前記付随情報を前記表示画面に表示することを特徴とする端末装置。
【請求項９】
請求項１から８のいずれか一項に記載の端末装置において、
前記地理的関連画像は、前記表示画面の背景画像として表示されることを特徴とする端末装置。
【請求項１０】
請求項１から９のいずれか一項に記載の端末装置において、
前記開始手段は、当該端末装置の電源がオンとされたときに前記処理を開始させることを特徴とする端末装置。
【請求項１１】
コンピュータを、請求項１から１０のいずれか一項に記載の端末装置として機能させることを特徴とする端末装置用プログラム。
【請求項１２】
表示画面を有する表示手段を備えた端末装置にネットワークを介して情報を配信する情報配信装置であって、
地理的位置情報に関連付けられた地理的関連画像を記憶する記憶手段と、
前記ネットワークを介して前記端末装置からの情報配信要求を受信する要求受信手段と、
前記情報配信要求に係る被提供情報を取得する取得手段と、
前記端末装置の現在位置を示す現在位置情報を受信する位置情報受信手段と、
前記受信された現在位置情報に基づいて前記地理的位置情報を特定する特定手段と、
前記特定された地理的位置情報に関連付けられた前記地理的関連画像であって前記生成された被提供情報に関連する前記地理的関連画像を抽出する関連画像抽出手段と、
前記取得された被提供情報を前記端末装置に送信する情報送信手段と、
前記抽出された地理的関連画像を前記端末装置に送信する画像送信手段と、
前記送信された地理的関連画像を前記送信された被提供情報と共に前記表示画面に表示する表示プログラムを前記端末装置に送信する表示プログラム送信手段と、
を備えることを特徴とする情報配信装置。
【請求項１３】
表示画面を有する表示手段と、地理的位置情報に関連付けられた地理的関連画像を記憶する記憶手段と、を備えた端末装置において実行される画像表示方法であって、
ネットワークを介して情報配信を受けるための処理を開始させる開始工程と、
前記情報配信に係る被提供情報を受信する受信工程と、
前記端末装置の現在位置を示す現在位置情報を取得する現在位置情報取得工程と、
前記取得された現在位置情報に基づいて前記地理的位置情報を特定する特定工程と、
前記特定された地理的位置情報に関連付けられた前記地理的関連画像であって、前記受信された被提供情報に関連する前記地理的関連画像を抽出する関連画像抽出工程と、
前記抽出された地理的関連画像を前記受信された被提供情報と共に前記表示画面に表示する表示制御工程と、
を含むことを特徴とする画像表示方法。
【発明の詳細な説明】
【技術分野】
【０００１】
本願は、端末装置及び端末装置用プログラム並びに情報配信装置及び画面表示方法の技術分野に属する。より詳細には表示画面を有する表示部を備えた端末装置及び当該端末装置用のプログラム並びに当該端末装置において実行される画面表示方法及び当該端末装置に対して情報を配信する情報配信装置の技術分野に属する。
【背景技術】
【０００２】
従来の携帯型無線電話機（以下、単に携帯電話機と称する）等の携帯型の端末装置は、表示画面上に表示する画像やいわゆるアイコンが複数予め用意されて例えば当該端末装置内に記憶されており、使用者はこれらをアレンジして表示画面に当該画像やアイコンを表示することができる。このとき当該画像には、静的なものは勿論の事、一時的に一定の動作を行う動画像が含まれる。
【０００３】
一方、このような画像やアイコンを表示画面に表示するだけでは、長い時間が経過する間には、面白みに欠け、使用者が飽きてしまう場合がある。このため、近年の端末装置では、使用者が興味を持って且つそれを持続可能なように、種々の工夫がなされている。
【０００４】
より具体的に例えば特許文献１には、メニュー項目に対応付けられた複数のアイテムを配置した背景画像を予め用意し、使用者による所定のメニュー項目の選択に応じて当該メニュー項目に対応付けられた背景画像を表示画面に表示し、その背景画像の色調を、時刻をパラメータとして変化させて表示する端末装置が開示されている。
【先行技術文献】
【特許文献】
【０００５】
【特許文献１】特開２００７−４１６４１公報
【発明の概要】
【発明が解決しようとする課題】
【０００６】
しかしながら、上記特許文献１に開示されている如き端末装置であっても、当該端末装置自体が一日のうちに長時間利用されるものであるため、特許文献１に記載された如き背景画像を変化させる構成があったとしても、長時間の使用に当たっては使用者を飽きさせてしまう場合がある。また、近年における端末装置の利用者の多様化を鑑みると、当該端末装置には、実用的な操作性は勿論のこと、使用していて楽しい機能を備えていることが望まれる。
【０００７】
本願は、上記の問題点及び要請に鑑みて為されたものであり、その目的の一例は、長時間使用したとしても使用者に斬新な興味を抱かせて飽きさせないようにすることが可能な端末装置及び当該端末装置用のプログラム並びに当該端末装置において実行される画面表示方法及び当該端末装置に対して情報を配信する情報配信装置を提供することにある。
【課題を解決するための手段】
【０００８】
上記課題を解決するために、請求項１に記載の発明は、表示画面を有する表示部等の表示手段を備えた端末装置であって、地理的位置情報に関連付けられた地理的関連画像を記憶する記憶部等の記憶手段と、ネットワークを介して情報配信を受けるための処理を開始させる開始部等の開始手段と、前記情報配信に係る被提供情報を受信する通信部等の受信手段と、前記端末装置の現在位置を示す現在位置情報を取得する位置情報取得部等の現在位置情報取得手段と、前記取得された現在位置情報に基づいて前記地理的位置情報を特定する特定部等の特定手段と、前記特定された地理的位置情報に関連付けられた前記地理的関連画像であって、前記受信された被提供情報に関連する前記地理的関連画像を抽出する関連情報抽出部等の関連画像抽出手段と、前記抽出された地理的関連画像を前記受信された被提供情報と共に前記表示画面に表示する表示制御部等の表示制御手段と、を備える。
【０００９】
上記の課題を解決するために、請求項１１に記載の発明は、コンピュータを、請求項１から１０のいずれか一項に記載の端末装置として機能させる。
【００１０】
上記の課題を解決するために、請求項１２に記載の発明は、表示画面を有する表示部等の表示手段を備えた端末装置にネットワークを介して情報を配信する情報配信装置であって、地理的位置情報に関連付けられた地理的関連画像を記憶する記憶部等の記憶手段と、前記ネットワークを介して前記端末装置からの情報配信要求を受信する通信部等の要求受信手段と、前記情報配信要求に係る被提供情報を取得する被提供情報取得部等の取得手段と、前記端末装置の現在位置を示す現在位置情報を受信する通信部等の位置情報受信手段と、前記受信された現在位置情報に基づいて前記地理的位置情報を特定する特定部等の特定手段と、前記特定された地理的位置情報に関連付けられた前記地理的関連画像であって前記生成された被提供情報に関連する前記地理的関連画像を抽出する関連画像抽出部等の関連画像抽出手段と、前記取得された被提供情報を前記端末装置に送信する通信部等の情報送信手段と、前記抽出された地理的関連画像を前記端末装置に送信する通信部等の画像送信手段と、前記送信された地理的関連画像を前記送信された被提供情報と共に前記表示画面に表示する表示プログラムを前記端末装置に送信する通信部等の表示プログラム送信手段と、を備える。
【００１１】
上記の課題を解決するために、請求項１３に記載の発明は、表示画面を有する表示部等の表示手段と、地理的位置情報に関連付けられた地理的関連画像を記憶する記憶部等の記憶手段と、を備えた端末装置において実行される画像表示方法であって、ネットワークを介して情報配信を受けるための処理を開始させる開始工程と、前記情報配信に係る被提供情報を受信する受信工程と、前記端末装置の現在位置を示す現在位置情報を取得する現在位置情報取得工程と、前記取得された現在位置情報に基づいて前記地理的位置情報を特定する特定工程と、前記特定された地理的位置情報に関連付けられた前記地理的関連画像であって、前記受信された被提供情報に関連する前記地理的関連画像を抽出する関連画像抽出工程と、前記抽出された地理的関連画像を前記受信された被提供情報と共に前記表示画面に表示する表示制御工程と、を含む。
【図面の簡単な説明】
【００１２】
【図１】実施形態に係る端末装置の概要構成を示すブロック図である。
【図２】実施形態に係る関連画像等の記憶形態を例示する図である。
【図３】実施形態に係るトップ画面の例を示す図であり、（ａ）は第一例を示す図であり、（ｂ）は第二例を示す図である。
【図４】実施形態に係る端末装置の処理を示すフローチャートである。
【図５】第１実施例に係る情報表示システムの概要構成を示すブロック図である。
【図６】第１実施例に係る携帯電話機の処理を示すフローチャートである。
【図７】第１実施例に係るサーバの処理を示すフローチャートである。
【図８】第２実施例に係る携帯電話機の処理を示すフローチャートである。
【図９】第２実施例に係るトップ画面を例示する図である。
【図１０】第３実施例に係る情報表示システムの処理を示すフローチャート等であり、（ａ）は当該フローチャートであり、（ｂ）は当該処理に係るトップ画面の例を示す図である。
【発明を実施するための形態】
【００１３】
次に、本願の実施形態について具体的に図１乃至図４を用いて説明する。なお、以下に説明する実施形態は、ネットワークを介して情報の配信を受ける端末装置における表示画面の制御について、本願を適用した場合の実施形態である。
【００１４】
また、図１は当該端末装置を含む情報表示システムの構成例を示すブロック図であり、図２は実施形態に係る端末装置に記憶されている関連画像や地点情報のデータベースの一例を示す図である。また、図３は実施形態に係る端末装置の表示画面に表示される画面例を示す図であり、図４は当該端末装置における処理を示すフローチャートである。
【００１５】
図１に示すように、実施形態に係る情報表示システムＳは、ネットワークＮＷと、当該ネットワークＮＷを介したデータの送受信が可能な端末装置Ｍと、を含んで構成されている。
【００１６】
なお、ネットワークＮＷとしては、例えば通信プロトコルとしていわゆるＴＣＰ／ＩＰ（Transmission Control Protocol/Internet Protocol）を用いて、相互にデータの送受信が可能なネットワークが用いられ、具体的には、インターネット、専用通信回線（例えば、ＣＡＴＶ（Community Antenna Television）回線）、移動体通信網（無線基地局等を含む）及びゲートウェイ等を含んで構築されていてもよい。
【００１７】
次に端末装置Ｍは、ネットワークＮＷを介した通信状態を制御する受信手段の一例としての通信部１１と、例えば液晶ディスプレイ等からなり且つ文字や画像等の情報を表示する後述する表示画面を備える表示手段の一例としての表示部１２と、システム制御部１５と、を含んで構成される。
【００１８】
この構成においてシステム制御部１５は、図示しないＣＰＵ（Central Processing Unit）が、図示しないＲＯＭ（Read Only Memory）等に記憶されたプログラムを読み出し実行することにより、位置情報取得手段の一例としての位置情報取得部１６、特定手段の一例としての特定部１７、関連画像抽出手段の一例としての関連画像抽出部１８、表示制御手段の一例としての表示制御部２０、記憶手段の一例としての記憶部２１及び開始手段の一例としての開始部２２として機能する。
【００１９】
先ず開始部２２は、ネットワークＮＷを介した通信接続を確立させるための処理及び当該接続が確立された後に情報の配信を当該ネットワークＮＷを介して受けるための処理並びに当該配信を受けた情報を表示させるための処理を、例えば表示制御部２０及び通信部１１等に開始させる。
【００２０】
当該各処理の開始の前段としてシステム制御部１５は、ユーザの指示操作に基づき、ネットワークＮＷを介した端末装置Ｍの接続先を指定するためのメニュー表示画面を表示部１２に表示する。当該メニュー表示画面により表示されるメニューは、ネットワークＮＷに接続することでその使用が可能となるアプリケーションプログラム（以下、単にアプリケーションと称する）の一覧である。
【００２１】
そして、当該メニューからユーザが所望するアプリケーションを指定することで、当該指定されたアプリケーションに対応する図示しないサーバ等がネットワークＮＷを介した端末装置Ｍの接続先として指定される。
【００２２】
このようにネットワークＮＷを介した端末装置Ｍの接続先が指定された後で、上記した各処理を開始させる。当該処理として具体的には、表示部１２において例えば「◇接続確認◇  ネットワークに接続しますか？」等のメッセージを表示し、これに対してユーザによる接続開始操作に基づいて当該接続を行うための処理を通信部１１に開始させる。
【００２３】
当該通信部１１では、指定されたアプリケーションから対応する接続先の通信アドレスを確認する。そして、ネットワークＮＷに接続して当該通信アドレスへの通信接続を開始する。この通信接続に際し、通信部１１は例えばパスワード処理等の認証処理を行って、ネットワークＮＷを介しての通信接続を確立させる。
【００２４】
この通信接続が確立されたことが確認されたとき、次に通信部１１は、当該接続先から当該指定されたアプリケーションにおける初期画面を描画するためのデータ等を受信する。
【００２５】
そして、開始部２２が実施形態に係る表示部１２の表示画面の制御のためのプログラム（以下、このプログラムを表示用プログラムと称する）を実行し、後述する実施形態に係るトップ画面を表示部１２に表示させる。なおこのトップ画面を構成する、ネットワークＮＷを介して受信した上記データ等は記憶部２１に記憶される。因みに、当該指定されたアプリケーションの使用を終了する旨のユーザの操作を受付けた場合に当該確立されている通信接続を切断する。
【００２６】
なお、開始部２２における処理としては、上述したものの他に、過去に端末装置Ｍにおいて閲覧した本願に係る例えばホームページがある場合においてそれに関する情報（そのタイトル、対応するＵＲＬ（Uniform Resource locator）情報及び閲覧済み画面等）が記憶部２１に記憶されている場合、当該記憶されている情報から上記ＵＲＬを抽出し、これを用いて対応するホームページに接続し、当該ホームページ内から上記トップ画面に相当する情報を取得（ダウンロード）して表示部１２に表示させるようにしてもよい。
【００２７】
つまり、本実施形態では、ネットワークＮＷを介した接続先と端末装置Ｍとの接続が確立された後に、当該接続先から受信した上記データ等を用いて当該端末装置Ｍの表示部１２の表示画面に最初に表示する画面を「トップ画面」とし、当該接続先から配信される上記データ等（当該トップ画面を構成する情報。以下、トップ画面情報と称する）が被提供情報の一例となる。
【００２８】
一方、位置情報取得部１６は、例えばＧＰＳ（Global Positioning System）を用いて端末装置Ｍの現在位置を示す現在位置情報を取得する。
【００２９】
他方、関連画像抽出部１８は、上記トップ画面情報に関連する関連画像等に相当する関連画像情報及び当該関連画像情報が関連付けられている後述する地理的位置情報等を、後述するように当該関連画像情報等が記憶されている記憶部２１から抽出する。また関連画像抽出部１８は、端末装置Ｍ（換言すればユーザ）の移動に応じて変更される新たな現在位置情報が上記ＧＰＳ等を用いて位置情報取得部１６により取得された場合、取得済みの現在位置情報と新たに取得された現在位置情報とを比較し、当該現在位置の変更の有無を判断し、当該変更があり且つその変更後の現在位置がトップ画面情報に関連している場合に、新たな関連画像情報等の抽出を行う。
【００３０】
これらにより特定部１７は、上記関連画像情報が関連付けられている地理的位置情報の中から上記取得された現在位置情報に対応する地理的位置情報を特定する。
【００３１】
そして、表示制御部２０は、当該特定された地理的位置情報並びに上記トップ画面情報に関連付けられている関連画像情報に相当する関連画像及び後述する地点情報等を、表示部１２の表示画面に表示する。なお、以下の説明では、当該関連画像情報を、適宜単に「関連画像」と称する。
【００３２】
次に、記憶部２１における上記関連画像等に係るデータ構造について、図２を用いて説明する。
【００３３】
記憶部２１には、図２に例示するように、データベースとして、地理的位置情報４に関連付けられて当該地理的位置情報４により示される位置（地点）に関連する関連画像５と、当該位置（地点）についての画像以外の情報である地点情報６と、が対応付けられて記憶されている。なおこれらの関連画像５及び地点情報６は、適宜更新されるものである。
【００３４】
ここで、実施形態に係る上記「関連画像」とは、上述したように、地理的位置情報４によって特定される位置（地点）又はその位置（地点）を含む地域に関連する画像である。より具体的に例えば、当該地域の象徴となる建物の画像、景観を示す風景画像、又は当該建物画像や当該風景画像を擬似的に表記したランドマーク画像等が含まれる。
【００３５】
また当該関連画像５は、図２に例示するように、方向画像５ａと、特徴画像５ｂと、に大別することがでる。このとき、方向画像５ａは、例えば地理的位置情報４で示される位置（地点）から見た、東、西、南及び北夫々の方向における風景画像である。一方、特徴画像５ｂは、例えば当該位置（地点）を含む地域の象徴となる建物の画像や景観を示す風景画像又は当該建物画像や風景画像を擬似的に表記したランドマーク画像や、その地域でイベント等が開催された時の当該イベント内の風景の画像等であり、当該特徴画像５ｂは、例えば天候（晴、曇、雨）及び時刻（朝、昼、夜）別に夫々記憶されている。このとき、当該時刻に関連付けられる関連画像５については、その時刻情報と共に記憶部２１内に記憶されている。
【００３６】
更に地点情報６は、対応する地理的位置情報４によって特定される位置（地点）又はその位置（地点）を含む地域の天気やイベント情報を、文字や記号を用いて表した付随情報である。
【００３７】
図２に例示される態様で関連画像５等が記憶されている記憶部２１に対して、関連画像抽出部１８は、上述したように位置情報取得部１６により取得された現在位置情報に対応する地理的位置情報４に関連する関連画像５や地点情報６を抽出する。より具体的には、現在位置情報に対応する地理的位置情報４により示される位置（地点）又はその近傍の位置に関連付けられた関連画像５又は地点情報６の有無を記憶部２１内において検索し、当該関連画像５又は地点情報６が検索されれば、当該関連画像５又は地点情報６を記憶部２１内から抽出する。
【００３８】
なおこのとき、関連画像５の特徴画像５ｂについては、例えば上記位置情報取得部１６において時刻情報も併せて取得する場合に、当該時刻情報に関連付けられている特徴画像５ｂが抽出される。また地点情報６として天気情報が記憶されていれば、当該天気情報の内容に合致した関連画像５が抽出される。
【００３９】
一方、当該時刻情報又は天気情報に関連付けられる関連画像５が記憶部２１内において検索できない場合には、当該時刻情報又は天気情報に基づいて現在表示部１２に表示されている関連画像５における色調を、表示制御部２０による表示用プログラムによる処理として変化させるようにしても構わない。
【００４０】
ここで、関連画像５としての方向画像５ａと特徴画像５ｂとの検索上の区別については、例えば、先ず特徴画像５ｂを検索し、当該特徴画像５ｂが検索できない場合に同じ地理的位置情報４に関連付けられている方向画像５ａを次に検索し、当該方向画像５ａが検索できれば、その方向画像５ａを抽出するように構成することが好ましい。このとき方向画像５ａは、例えば連続的に取得される現在位置情報に基づいてユーザの移動方向を端末装置Ｍにおいて決定し、その移動方向に合致する方向画像５ａを記憶部２１内において検索するように構成することが好ましい。
【００４１】
なお上記したように、関連画像５には、例えば、地理的位置情報４によって特定される位置（地点）又はその位置（地点）を含む地域の象徴となる建物の画像、景観を示す風景画像、又は当該建物画像や当該風景画像を擬似的に表記したランドマーク画像等の地理的要素が含まれる。つまり、それら建物画像や風景画像等の地理的要素とは何ら関係を持たないアプリケーション（例えば、ゲーム等）がユーザにより指定された場合には、そのような画像を表示画面に表示しても当該画像に対する興味が沸くとは考え難い。そこで本実施形態では、トップ画面情報に関連する関連画像５であるか否かを判断し、当該トップ画面情報に関連する関連画像５であれば、地理的位置情報４に基づいて当該地理的位置情報４に関連付けられている関連画像５を抽出するようにしている。
【００４２】
一方、上記した関連画像５に関係を持つアプリケーションとは、例えば、地図等を用いるナビゲーション機能、電車路線案内機能、最新天気情報案内機能、イベントやスポット等の検索機能等の地理的情報を提供するアプリケーションとなる。そして、当該アプリケーションのトップ画面情報に関連した関連画像５として、地理的位置情報４に基づいて当該地理的位置情報４に関連付けられている関連画像５を抽出するのである。
【００４３】
次に、実施形態に係る情報表示システムＳにおける具体的な処理について、図３及び図４を用いて説明する。
【００４４】
実施形態に係る処理として、端末装置Ｍの表示部１２においては、図３に例示するように、例えばユーザが選択可能なメニュー項目２ａを含むトップ画面２として、当該トップ画面を構成するメニュー等のトップ画面情報と、そのユーザの現在位置に基づいて当該現在位置に対応する地理的位置情報４に関連付けられている関連画像５と、を含むトップ画面２を表示する。
【００４５】
即ち、図４に示すように、ユーザの操作によりアプリケーションが指定されると、システム制御部１５は、通信部１１を制御してサーバＳＶとの通信接続を確立させる（ステップＳ１０１）。
【００４６】
このステップＳ１０１の処理において開始部２２は、上述したように、例えば「◇接続確認◇  ネットワークに接続しますか？」等のメッセージを表示部１２に表示させ、これに対してユーザによる接続開始操作に基づいて当該接続を行うための処理を通信部１１に開始させ、当該アプリケーションに対応した接続先に接続して通信接続を確立させる。
【００４７】
なおこのとき、これも上述したように記憶部２１に記憶されている閲覧済みのホームページ等に係る情報の中からトップ画面２に相当するものを取得して表示画面内に表示させた後、上記接続先からの情報の配信を受けるための処理を開始させてもよい。
【００４８】
これにより通信部１１は、指定されたアプリケーションに対応するトップ画面２に対応する上記トップ画面情報が接続先から送信されて来たら、これらを受信し（ステップＳ１０２）、記憶部２１に一時的に記憶する。
【００４９】
次にシステム制御部１５は、受信して記憶したトップ画面情報に地理的要素が含まれているかを判断する（ステップＳ１０３）。そして地理的要素が含まれていると判断した場合（ステップＳ１０３：ＹＥＳ）、次に位置情報取得部１６により現在位置を示す現在位置情報を取得するか、或いはユーザの操作により自身の現在位置を示す現在位置情報が入力されると（ステップＳ１０４）、関連画像抽出部１８は次に、ステップＳ１０４の処理により取得又は入力された現在位置情報に対応する地理的位置情報４によって記憶部２１内において特定される（ステップＳ１０５）位置（地点）又はその位置（地点）を含む地域に関連する関連画像５を記憶部２１内において検索し（ステップＳ１０６）、更に当該検索された関連画像５を抽出する（ステップＳ１０７）。
【００５０】
これらにより表示制御部２０は、受信したトップ画面情報（ステップＳ１０２参照）及び抽出された関連画像５（ステップＳ１０７参照）を含む当該トップ画面２を表示部１２において表示させるための上記表示用プログラムをシステム制御部１５内の上記図示しないＲＯＭから読み出して実行することにより、当該トップ画面情報並びに関連画像情報（関連画像５）を用いた描画処理を施し、当該トップ画面情報及び関連画像５により構成されるトップ画面２を表示部１２の表示画面に表示させる（ステップＳ１０８）。以上により、実施形態としての端末装置Ｍにおける一連の処理が終了する。
【００５１】
一方、上記ステップＳ１０３の判断において、受信して記憶したトップ画面情報に地理的要素が含まれていないと判断した場合（ステップＳ１０３：ＮＯ）、表示制御部２０は、上記表示プログラムを読み出して実行することにより、トップ画面情報のみを用いて描画処理を施し、当該トップ画面情報のみからなるトップ画面２を表示部１２の表示画面に表示させて（ステップＳ１０９）、実施形態としての端末装置Ｍにおける一連の処理を終了する。
【００５２】
以上説明したように、実施形態の情報表示システムＳの処理によれば、関連画像５等をトップ画面２に含ませて表示することによって、長時間使用したとしてもユーザに斬新な興味を抱かせて飽きさせないようにすることが可能である。
【００５３】
なお、上記トップ画面情報に関連し、ユーザの現在位置を示す現在位置情報によって特定される地域に関連する関連画像５が複数存在する場合には、図３（ｂ）に示すようにそれらを全て関連画像５として表示してもよい（図３（ｂ）に例示する場合は三つの関連画像５が含まれている）。また図３（ａ）に示すように、複数の関連画像５の中から当該特定された地域において最も特徴的な要素を含む関連画像５を適宜選択して表示するようにしても良い。
【００５４】
更には、現在位置情報によって特定される地域に関連する関連画像５が複数存在する場合には、例えば、季節等を含む現在日時情報、又は現在の天気情報、或いは現在の移動方向を示す情報を、関連画像５を特定するための条件に加え、一つの関連画像５を特定するようにしてもよい。
【００５５】
また、上述した実施形態では、関連画像５を端末装置Ｍ内の記憶部１２から抽出し、端末装置Ｍ内に予め記憶されている表示プログラムを用いて表示部１２に表示する場合について説明したが、これ以外に、ネットワークＮＷを介した接続先の例えばサーバ等内において関連画像５及び上記表示プログラムを記憶しておくと共に、端末装置Ｍにおいて取得した現在位置情報を当該接続先に送信し、当該接続先において当該現在位置情報に対応する関連画像５を抽出してトップ画面情報及び表示プログラムと共に端末装置Ｍに送信し、これらを受信した端末装置Ｍにおいて当該受信した表示プログラムを実行することで、受信した関連画像５及び受信したトップ画面情報により構成されるトップ画面２を表示部１２の表示画面に表示させるように構成することもできる。
【００５６】
また、上述した実施形態では、ネットワークＮＷを介した接続先から受信したトップ画面情報内に地理的要素が含まれている場合に位置情報取得部１６により現在位置情報を取得するようにしたが、これ以外に、端末装置Ｍとしての現在位置情報は常に取得しておき、受信したトップ画面情報内に地理的要素が含まれている場合に取得済みの現在位置を示す現在位置情報を用いて上記ステップＳ１０５乃至Ｓ１０８の処理を実行するように構成することもできる。
【実施例】
【００５７】
次に、実施形態に係る情報表示システムＳのより具体的な処理例について、三つの実施例（第１実施例乃至第３実施例）に分けて、図５乃至図１０を用いて説明する。なお、以下に説明する各実施例は、実施形態に係る端末装置Ｍに係る実施例たる携帯電話機と、当該携帯電話機の接続先たるサーバと、が、ネットワークＮＷを介して接続されてなる情報表示システムについての実施例である。
【００５８】
（Ｉ）第１実施例
初めに、本願の第１実施例に係る情報表示システムについて、具体的に図５乃至図７を用いて説明する。
【００５９】
なお、図５は第１実施例に係る情報表示システムの概要構成を示すブロック図であり、図６は第１実施例に係る携帯電話機における処理を示すフローチャートであり、図７は第１実施例に係るサーバにおける処理を示すフローチャートである。また、図５に示すブロック図において、上記図１を用いて説明した実施形態に係る端末装置Ｍと同一の部材については、同一の部材番号を付して細部の説明を一部省略する。
【００６０】
（Ａ）第１実施例に係る情報表示システムの構成について
先ず、第１実施例に係る情報表示システムの構成について、図５を用いて説明する。
【００６１】
図５に示すように、第１実施例に係る情報表示システムＳＳは、携帯電話機ＭＰと、当該携帯電話機ＭＰの接続先たるサーバＳＶと、を含んで構成されており、これらサーバＳＶと携帯電話機ＭＰとはネットワークＮＷを介して相互にデータの送受信が可能とされている。
【００６２】
次に携帯電話機ＭＰは、上記通信部１１と、上記表示部１２と、例えばダイヤルボタン又はカーソルボタン等からなり且つ使用者からの操作指示を受け付ける操作部１３と、現在位置情報を取得するためのＧＰＳ測位部１４と、上記システム制御部１５と、を含んで構成される。
【００６３】
この構成においてシステム制御部１５は、図示しないＣＰＵが図示しないＲＯＭ等に記憶されたプログラムを読み出し実行することにより、上記位置情報取得部１６、時刻情報取得部１９、上記表示制御部２０、上記開始部２２及び関連画像取得部２３として機能する。
【００６４】
この構成において、ＧＰＳ測位部１４は、衛星軌道上の図示しないＧＰＳ衛星から発信された衛星軌道及び時刻情報を含む電波を受信すると、この受信した電波に基づいて携帯電話機ＭＰの現在位置（緯度／経度による平面位置及び高度）を算出し、当該現在位置を示す現在位置情報を生成して位置情報取得部１６に出力する。またＧＰＳ測位部１４は、システム制御部１５の制御の下、現在位置の測位を一度開始すると、システム制御部１５による他の処理（プログラムの実行を含む）と並行して連続して測位を行う。
【００６５】
一方時刻情報取得部１９は、ＧＰＳ取得部１４を介して時刻情報を取得する。なお、携帯電話機ＭＰに時計機能が予め備えられている場合には、当該時計機能を用いて時刻情報を取得しても構わない。
【００６６】
また、関連画像取得部２３は、後述するようにサーバＳＶから関連画像５が送信されて来ると、これを通信部１１を介して取得する。なお、第１実施例に係る携帯電話機ＭＰの図示しない記憶部には、過去に関連画像取得部２３により取得されてトップ画面２を構成するものとして表示されていた直近の関連画像５が、それに対応する地点情報６及びトップ画面情報と共に記憶されているものとする。
【００６７】
更に操作部１３は、ユーザによる操作に対応する操作信号を生成し、システム制御部１５に出力する。これによりシステム制御部１５は、当該操作信号に基づいて第１実施例に係る携帯電話機ＭＰとしての処理を実行する。
【００６８】
次に第１実施例に係るサーバＳＶは、ハードディスクドライブ等を備え、上記地理的位置情報４、上記関連画像５及び上記地点情報６を図２に例示する態様で含むデータベースＤＢを記憶する記憶部２１と、ネットワークＮＷに接続して携帯電話機ＭＰとの通信状態を制御する通信部３２と、図示しないＣＰＵ、図示しないＲＡＭ（Random Access Memory）及び図示しないＲＯＭ等を備えるシステム制御部３３と、を含んで構成される。
【００６９】
この構成において通信部３２は、ネットワークＮＷに接続して携帯電話機ＭＰとの通信状態を制御する。
【００７０】
一方システム制御部３３は、ＣＰＵが、上記ＲＯＭ等に記憶されたプログラムを読み出して実行することにより、トップ画面情報生成部３４、上記特定部１７及び上記関連画像抽出部１８として機能する。
【００７１】
また特定部１７は、関連画像５に相当する関連画像情報が関連付けられている地理的位置情報４の中から、携帯電話機ＭＰの現在の位置を示す現在位置情報に対応する地理的位置情報４を特定する。
【００７２】
更にトップ画面情報生成部３４は、携帯電話機ＭＰにより指定されたアプリケーションに基づいてトップ画面情報を生成する。
【００７３】
これにより関連画像抽出部１８は、当該生成されたトップ画面情報内に地理的要素が含まれているかを判断し（図４ステップＳ１０３参照）、当該地理的要素が含まれている場合には記憶部２１内のデータベースＤＢにおいて検索された関連画像５及び地点情報６を当該データベースＤＢから抽出する。そしてシステム制御部３３は、当該抽出された関連画像５及び地点情報６を、ネットワークＮＷを介して携帯電話機ＭＰに送信する。なお、トップ画面情報に関連する関連画像５が存在しない場合、関連画像抽出部１８は当該関連画像５を抽出しない。
【００７４】
次に、第１実施例に係る情報表示システムＳＳにおける処理について、携帯電話機ＭＰにおける当該処理とサーバＳＶにおける当該処理とに分けて説明する。なお以下に説明する処理においては、携帯電話機ＭＰにおいてトップ画面２を表示する際に必要とされるトップ画面情報には、上記地理的要素が含まれているものとする。
【００７５】
（Ｂ）携帯電話機ＭＰにおける処理について
先ず、第１実施例に係る携帯電話機ＭＰにおける処理について、具体的に図６を用いて説明する。
【００７６】
第１実施例に係る携帯電話機ＭＰにおいては、図６に示すように、当該携帯電話機ＭＰのユーザが操作部１３を用いてその電源をオンとして所定の指示操作をすると、システム制御部１５は、当該指示操作に応じて上記メニュー表示画面を表示部１２に表示する（ステップＳ２０１）。
【００７７】
そして、当該メニュー表示画面内のメニューからユーザが所望するアプリケーションを指定すると、携帯電話機ＭＰの開始部２２は当該指定されたアプリケーションに対応するサーバＳＶを、ネットワークＮＷを介した端末装置Ｍの接続先として指定し、更に実施形態に係るステップＳ１０１と同様に当該サーバＳＶとの通信接続を確立させる（ステップＳ２０２）。
【００７８】
このステップＳ２０２の処理において開始部２２は、実施形態の場合と同様に、例えば「◇接続確認◇  ネットワークに接続しますか？」等のメッセージを表示部１２に表示させた後、ユーザの操作部１３における操作に応じて通信接続を確立させる。
【００７９】
携帯電話機ＭＰの位置情報取得部１６は、ＧＰＳ測位部１４を用いて自動的に、又は当該使用者の操作により、サーバＳＶとの接続が確立された時点における携帯電話ＭＰの現在位置の緯度／経度を示す現在位置情報を取得する（ステップＳ２０３）。
【００８０】
次にシステム制御部１５は、直近に表示されていた関連画像５（上述したように図示しない記憶部内に記憶されている、直近に表示されていた関連画像５）が、当該取得した現在位置情報（ステップＳ２０３参照）に対応する地理的位置情報４に関連付けられている関連画像５であるか否かを判断する（ステップＳ２０４）。そして、当該判断において、当該直近に表示されていた関連画像５が当該現在位置情報に対応する地理的位置情報４に関連付けられている関連画像５である場合（ステップＳ２０４；ＹＥＳ）には、後述するステップＳ２０８の処理に移行し、一方当該直近に表示されていた関連画像５が当該現在位置情報に対応する地理的位置情報４に関連付けられている関連画像５でない場合（ステップＳ２０４；ＮＯ）には、後述するステップＳ２０５の処理に移行する。
【００８１】
ここで、当該ステップＳ２０４の判断として具体的には、例えば位置情報取得部１６において取得した現在位置情報が、その前に取得されている旧現在位置情報から変更されているか、又は、旧現在位置情報から変更されていると共に当該取得した現在位置情報によって示される現在位置と当該旧現在位置情報によって示される旧現在位置との距離が所定の距離以上離れているか、のいずれかを判断し、当該変更があった場合、又は当該変更かあり、且つ当該所定の距離以上離れている場合には、関連画像５が関連付けられている地理的位置情報４が当該現在位置情報に対応していないものと判断し、一方当該変更が無く、又は当該変更があったとしても当該所定の距離以上離れていなければ、関連画像５が関連付けられている地理的位置情報４が当該現在位置情報に対応するものであると判断するように構成することができる。
【００８２】
次にステップＳ２０５の処理においてシステム制御部１５は、ステップＳ２０３の処理により取得した現在位置情報に対応する地理的位置情報４に関連付けられている関連画像５をサーバＳＶ内において検索／抽出することを要求する旨の画像要求情報と、当該現在位置情報と、を、サーバＳＶに送信する。
【００８３】
次に関連画像取得部２３は、トップ画面２を構成するものとして、後述するサーバＳＶからユーザの現在位置情報に対応する地理的位置情報４に関連付けられている関連画像５及び地点情報６並びにトップ画面情報が送信されて来るとこれを受信し（ステップＳ２０６）、更に携帯電話機ＭＰに記憶されている直近の関連画像５及び地点情報６並びにトップ画面情報を、新たに受信した関連画像５及び地点情報６並びにトップ画面情報に書き換える（ステップＳ２０７）。なおこのステップＳ２０７の動作において新たにサーバＳＶから送信されて来たトップ画面情報が既に携帯電話機ＭＰに記憶されているトップ画面情報と同一であるときは、上記トップ画面情報の書換処理は実行しなくともよい。
【００８４】
他方、上記ステップＳ２０８の処理においてシステム制御部１５は、ステップＳ２０３の処理により取得した現在位置情報に対応する地理的位置情報４に関連付けられている地点情報６をサーバＳＶ内において検索／抽出することを要求する旨の地点要求情報と、当該現在位置情報と、を、サーバＳＶに送信する。
【００８５】
次に関連画像取得部２３は、後述するサーバＳＶから現在位置情報に対応する地点情報６及びトップ画面情報が送信されて来るとこれを受信し（ステップＳ２０９）、携帯電話機ＭＰに記憶されている地点情報６及びトップ画面情報と異なっていれば、当該地点情報６及びトップ画面情報を、当該受信した地点情報６及びトップ画面情報に書き換える（ステップＳ２０７）。
【００８６】
次に表示制御部２０は、携帯電話機ＭＰに現在記憶されている地点情報６に特徴があるか否か（即ち、当該地点情報６の内容を示す関連画像５が携帯電話機ＭＰ内に記憶されているか否か）を確認し（ステップＳ２１０）、当該関連画像５が記憶されている場合には（ステップＳ２１０；ＹＥＳ）、当該地点情報６の内容を示す関連画像５と、受信済みの（ステップＳ２０６又はＳ２０９参照）トップ画面情報と、により構成されるトップ画面２を、上記図示しないＲＯＭに記憶されている表示用プログラムを用いて表示部１２に表示する（ステップＳ２１４）。
【００８７】
一方、ステップＳ２１０の確認において、当該関連画像５が記憶されていない場合（ステップＳ２１０；ＮＯ）、システム制御部１５は次に、ユーザの移動方向が現在認識可能であるか否かを位置情報取得部１６を用いて確認する（ステップＳ２１１）。これにより当該移動方向が認識可能である場合（ステップＳ２１１；ＹＥＳ）、表示制御部２０は次に、現在記憶部２１に記憶されている関連画像５における方向画像５ａの中からユーザの当該移動方向に適合する方向画像５ａを選択し、これと、上記受信済みのトップ画面情報と、により構成されるトップ画面２を表示部１２に表示する（ステップＳ２１２）。
【００８８】
他方、上記ステップＳ２１１の確認においてユーザの移動方向が認識できない場合（ユーザの当該移動方向に適合した関連画像５が記憶部２１内にない場合を含む。ステップＳ２１１；ＮＯ）、表示制御部２０は、現在位置情報に対応する複数の関連画像５と、上記受信済みのトップ画面情報と、により構成されるトップ画面２を表示部１２に表示する（ステップＳ２１３）。このとき、複数の当該関連画像５を所定の表示枠内に収まるように制御して表示してもよい（図３（ｂ）参照）。
【００８９】
なお、上記ステップＳ２１２乃至Ｓ２１４のいずれかにおいては、受信した地点情報６（上記ステップＳ２０６又はＳ２０９参照）に相当する情報を、関連画像５等と共にトップ画面２を構成する情報として表示部１２に表示させてもよい。
【００９０】
その後システム制御部１５は、位置情報取得部１６を用いてユーザの移動による現在位置情報の変更があったか否かを確認し（ステップＳ２１５）、当該変更があった場合には（ステップＳ２１５；ＹＥＳ）、上記ステップＳ２０４に戻って上記ステップＳ２０４乃至ステップＳ２１４の処理を実行する。
【００９１】
一方、ステップＳ２１５の確認において現在位置情報の変更がない場合（ステップＳ２１５；ＮＯ）、システム制御部１５は次に、ユーザによって携帯電話機ＭＰの電源スイッチがオフとされたか否かを判断し（ステップＳ２１６）、当該電源スイッチがオフとされた場合には（ステップＳ２１６；ＹＥＳ）そのまま第１実施例に係る携帯電話機ＭＰとしての処理を終了し、電源スイッチがオフとされない場合は（ステップＳ２１６；ＮＯ）、上記ステップＳ２１５に戻って関連情報５及びトップ画面情報により構成されるトップ画面２の表示処理を継続する。
【００９２】
（Ｃ）サーバＳＶの処理について
次に、第１実施例に係るサーバＳＶの処理について、図７を用いて説明する。
【００９３】
第１実施例に係るサーバＳＶにおいては、図７に示すようにシステム制御部３３は先ず、携帯電話機ＭＰとの間で通信部３２を介して当該携帯電話機ＭＰとの間の通信接続を確立させる（図６ステップＳ２０２参照。ステップＳ３０１）。
【００９４】
その後システム制御部３３は、携帯電話機ＭＰから上記現在位置情報及び上記画像要求情報を受信したか否かを判断する（図６ステップＳ２０５参照。ステップＳ３０２）。これにより当該現在位置情報等を受信していれば（ステップＳ３０２；ＹＥＳ）、後述するステップＳ３０３の処理に移行し、一方受信していない場合は（ステップＳ３０２；ＮＯ）、後述するステップＳ３０７の処理に移行する。
【００９５】
次にステップＳ３０３の処理としてトップ画面情報生成部３４は、携帯電話機ＭＰに送信するための上記トップ画面情報（図６のステップＳ２０２の処理において指定されたアプリケーションに応じたトップ画面情報）を生成する。このトップ画面情報には、上述したように地理的要素が含まれている。
【００９６】
次にステップＳ３０４の処理として関連画像抽出部１８及び特定部１７は、受信した現在位置情報に対応する地理的位置情報４によって記憶部２１内のデータベースＤＢにおいて特定される位置（地点）、又はその位置（地点）を含む地域に関連する関連画像５及び当該位置（地点）、又はその位置（地点）を含む地域に関連する地点情報６を当該データベースＤＢにおいて検索し（ステップＳ３０４）、トップ画面情報に含まれている地理的要素に応じて当該検索された関連画像５及び地点情報６をデータベースＤＢから抽出する（ステップＳ３０５）。
【００９７】
その後システム制御部３３は、通信部３２を制御して、当該抽出された関連画像５及び当該抽出された地点情報６と、トップ画面情報生成部３４により生成されたトップ画面情報と、を携帯電話機ＭＰに送信して受信させ（図６ステップＳ２０６参照。ステップＳ３０６）、第１実施例に係るサーバＳＶとしての処理を終了する。
【００９８】
他方、上記ステップＳ３０７の処理としてシステム制御部３３は、携帯電話機ＭＰから現在位置情報並びに上記地点要求情報を受信したか否か（図６ステップＳ２０８参照）を判断する。これにより当該現在位置情報等を受信していれば（ステップＳ３０７；ＹＥＳ）、後述するステップＳ３０８の処理に移行し、受信していない場合は（ステップＳ３０７；ＮＯ）、上記ステップＳ３０２に戻って上述した処理を継続する。
【００９９】
次にステップＳ３０８の処理としてトップ画面情報生成部３４は、上記ステップＳ３０３の処理と同様に携帯電話機ＭＰに送信するための上記トップ画面情報を生成する。
【０１００】
次に関連画像抽出部１８及び特定部１７は、ステップＳ３０９の処理として、受信した地点要求情報に対応する地点情報６（即ち、ユーザの現在位置に対応する地理的位置情報４に関連付けられた地点情報６）を上記データベースＤＢにおいて検索し、当該検索された地点情報６をデータベースＤＢから抽出する（ステップＳ３１０）。
【０１０１】
その後システム制御部３３は、通信部３２を制御して、当該抽出された地点情報６と、トップ画面情報生成部３４により生成されたトップ画面情報と、を携帯電話機ＭＰに送信して受信させ（図６ステップＳ２０９参照。ステップＳ３０６）、第１実施例に係るサーバＳＶとしての処理を終了する。
【０１０２】
以上説明したように、第１実施例に係る情報表示システムＳＳの処理によれば、地点情報６に特徴的な事項（例えば、関連するイベント等）が存在すれば（図６のステップＳ２１０；ＹＥＳ参照）、優先的に当該特徴的な事項に適合した関連画像５により構成されるトップ画面２を表示部１２に表示する。これに対して特徴的な事項が存在しない場合には、次にユーザの移動方向を認識し（図６ステップＳ２１１参照）、当該移動方向を認識できればその方向に適合した方向画像５ａにより構成されるトップ画面２を表示部１２に表示する。更にまた、ユーザの移動方向を認識できなければ、当該ユーザの現在位置情報に対応する地理的位置情報４に関連付けられている関連画像５を表示する（図６ステップＳ２１３参照）。このような種々の表示によって、長時間使用したとしてもユーザに斬新な興味を抱かせて飽きさせないようにすることが可能となる。
【０１０３】
（II）第２実施例
次に、本願の他の実施例である第２実施例に係る情報表示システムの処理例について、具体的に図８及び図９を用いて説明する。なお、図８は第２実施例に係る情報表示システムに含まれる携帯電話機ＭＰの処理を示すフローチャートであり、図９は当該処理における画面例を示す図である。
【０１０４】
また以下の説明において、第１実施例に係る携帯電話機ＭＰと同一の部材については、同一の部材番号を付して細部の説明を一部省略する。更に、第２実施例に係るトップ画面情報には、第１実施例に係るトップ画面情報と同様に地理的要素が含まれている。
【０１０５】
上述した第１実施例では、ユーザの移動手段の種類に拘わらず現在位置情報に対応する地理的位置情報４に関連付けられている関連情報５を含むトップ画面２を表示する構成としたが、以下に説明する第２実施例では、当該移動手段の種類を加味して現在位置情報に対応する地理的位置情報４に関連付けられている関連情報５を含むトップ画面２を表示するものである。なお、第２実施例に係るサーバＳＶとしての処理は、基本的には第１実施例に係るサーバＳＶにおける処理と同様であるので、細部の説明を一部省略する。
【０１０６】
また、第２実施例に係る携帯電話機ＭＰにおける処理の前提として、第２実施例に係るサーバＳＶの記憶部２１には、ユーザの移動手段（具体的には、車、電車又は徒歩のいずれか）に応じた関連画像５が、位置情報４に関連付けられて記憶されているものとする。更に記憶部２１には、路線情報を示す路線情報データベースや、電車の発車時刻や到着時刻等を示す時刻表データベースを含む電車に関する情報データベースが記憶されているものとする。
【０１０７】
図８に示すように、第２実施例に係る携帯電話機ＭＰにおいては、上記第１実施例に係るステップＳ２０１の処理と同様に、システム制御部１５は、ユーザによる指示操作に応じてメニュー表示画面を表示部１２に表示し（ステップＳ４０１）、その後開始部２２は、当該メニュー表示画面内のメニューを用いたユーザによるアプリケーションの指定操作に応じて、第１実施例に係るステップＳ２０２の処理と同様にサーバＳＶとの通信接続を確立させる（ステップＳ４０２）。
【０１０８】
次に、システム制御部１５の位置情報取得部１６は、例えばＧＰＳ測位部１４を用いて携帯電話機ＭＰの現在位置を示す現在位置情報を連続して複数取得して記憶する（ステップＳ４０３）。その後表示制御部２０は、現在携帯電話機ＭＰ内の図示しない記憶部に記憶されているトップ画面情報及び関連画像５等を用いて、これらにより構成されるトップ画面２を表示部１２上に表示する。
【０１０９】
次にシステム制御部１５は、当該記憶した複数の現在位置情報に基づいて、ユーザの現在位置と、その移動速度及び移動方向を算出する（ステップＳ４０４）。
【０１１０】
その後システム制御部１５は、算出した移動速度が所定閾値（例えば時速４キロメートル）を超えているか否かを判断し（ステップＳ４０５）、超えていない場合には（ステップＳ４０５；ＹＥＳ）、当該ユーザが徒歩移動中であると特定する（ステップＳ４１３）。
【０１１１】
次にシステム制御部１５は、当該徒歩移動に適合したトップ画面２の表示処理を行う（ステップＳ４１４）。
【０１１２】
このステップＳ４１４の処理として具体的に、先ずシステム制御部１５は、サーバＳＶに対して、その時点での上記現在位置情報と関連画像５の画像要求情報とを送信する（図６ステップＳ２０５参照）。この現在位置情報等の送信に対応してサーバＳＶの関連画像抽出部１８は、その記憶部２１内において当該送信されて来た現在位置情報により示される現在位置に対応する地理的位置情報４に関連付けられており且つ徒歩移動中に適合する関連画像５等を検索／抽出し、それらを対応するトップ画面情報（地理的要素を含む）と共に携帯電話機ＭＰに送信する。
【０１１３】
これにより、当該送信されて来た関連画像５等を受信した携帯電話機ＭＰの関連画像取得部２３及び表示制御部２０は、当該取得したトップ画面情報（地理的要素を含む）及び関連画像５等により構成されるトップ画面２を表示部１２に表示する。
【０１１４】
その後システム制御部１５は、位置情報取得部１６を用いてユーザの移動による現在位置の変更があったか否かを確認し（ステップＳ４１５）、当該変更があった場合には（ステップＳ４１５；ＹＥＳ）、上記ステップＳ４０４に戻って当該ステップＳ４０４以降の処理を実行する。
【０１１５】
一方、ステップＳ４１５の確認において現在位置の変更がない場合（ステップＳ４１５；ＮＯ）、システム制御部１５は次に、ユーザによって携帯電話機ＭＰの電源スイッチがオフとされたか否かを判断し（ステップＳ４１６）、当該電源スイッチがオフとされた場合には（ステップＳ４１６；ＹＥＳ）そのまま第２実施例に係る携帯電話機ＭＰとしての処理を終了し、電源スイッチがオフとされない場合は（ステップＳ４１６；ＮＯ）、上記ステップＳ４１５に戻ってトップ画面情報（地理的要素を含む）及び関連情報５により構成されるトップ画面２の表示処理を継続する。
【０１１６】
一方システム制御部１５は、上記ステップＳ４０５において使用者の移動速度が上記所定閾値を超えている場合（ステップＳ４０５；ＹＥＳ）、次に鉄道路線上を移動中であるか否かのマップマッチング処理を実行する（ステップＳ４０６）。ここで、当該マップマッチング処理とは、取得した現在位置に対応する鉄道の路線情報をサーバＳＶの記憶部２１から取得し、当該取得した路線情報に基づいて、当該路線上と使用者の現在位置とが複数箇所において一致するか否かを判断する処理である。
【０１１７】
これによりシステム制御部１５は、ステップＳ４０６の処理に基づいてユーザの現在位置が鉄道路線上を移動中か否かを判断し（ステップＳ４０７）、当該鉄道路線上を移動中でないときは（ステップＳ４０７；ＮＯ）、道路上を移動中と判断して当該ユーザが車両で移動中であると特定する（ステップＳ４１１）。
【０１１８】
その後システム制御部１５は、上記ステップＳ４１４の処理と同様の処理により、トップ画面情報（地理的要素を含む）及び関連画像５等により構成されるトップ画面２を表示部２に表示する。なおこの場合、関連画像５としては取得した現在位置に対応する地理的位置情報４に関連付けられており且つ車両移動中に適合する関連画像５がサーバＳＶにおいて検索／抽出され、この関連画像５を含むトップ画面２が表示部１２に表示されることとなる（ステップＳ４１２）。そしてシステム制御部１５は、上記ステップＳ４１５以降の処理に移行する。
【０１１９】
他方システム制御部１５は、上記ステップＳ４０７の判断において鉄道路線上を移動中であると判断された場合（ステップＳ４０７；ＹＥＳ）、取得した路線情報を用いて移動中の路線を特定する（ステップＳ４０８）。次にシステム制御部１５は、サーバＳＶの記憶部２１に記憶されている時刻表データベースから、当該特定された路線（ステップＳ４０８参照）における現在位置との関係において、停車駅／通過駅及び対応する通過時刻情報を取得する（ステップＳ４０９）。
【０１２０】
これによりシステム制御部１５は、上記ステップＳ４１４の処理と同様の処理により、トップ画面情報（地理的要素を含む）及び関連画像５等からなるトップ画面２を表示部２に表示する。なおこの場合、関連画像５としては取得した現在位置に対応する地理的位置情報４に関連付けられており且つ電車移動中に適合する関連画像５がサーバＳＶにおいて検索／抽出され、この関連画像５を含むトップ画面２が表示部１２に表示されることとなる（ステップＳ４１０）。そしてシステム制御部１５は、上記ステップＳ４１５以降の処理に移行する。
【０１２１】
以上説明したように、第２実施例に係る情報表示システムＳＳの処理によれば、ユーザの移動状態に応じて適切な関連情報５をトップ画面２に表示する。このような表示によって、使用者に対して常に興味を抱かせることが可能である。
【０１２２】
より具体的に例えば、羽田空港から自宅（高尾駅周辺）へ帰宅する場合において、例えば羽田空港からモノレールで浜松町駅まで行き、東京駅で乗り換えて中央線で新宿駅を通過して高尾駅に到着し、自宅へ帰宅する経路を辿ると仮定する。この場合に第２実施例に係る表示部１２には、図９において左から右に時系列的に例示するように、羽田空港では空港を示す関連画像５０ａ及びメニュー項目２ａにより構成されるトップ画面２が表示され、モノレール乗車中ではモノレールを示す関連画像５０ｂ及びメニュー項目２ａにより構成されるトップ画面２が表示され、東京駅では東京タワー等の東京を象徴する関連画像５０ｃ及びメニュー項目２ａにより構成されるトップ画面２が表示され、新宿駅を通過時には新宿を示す関連画像５０ｄ及びメニュー項目２ａにより構成されるトップ画面２が表示され、高尾駅に到着した時には高尾駅周辺の景観画像である関連画像５０ｅ及びメニュー項目２ａにより構成されるトップ画面２が表示され、最後に自宅への道のりでは高尾駅から自宅方向の画像が表示されることとなる。なお当該関連画像５０ａ等は、使用者の現在地が、停車駅や乗換え時或いは通過時の夫々の位置（地点）に達した時に順次切り換えられる。
【０１２３】
このように、第２実施例に係る情報表示システムの処理によれば、ユーザの移動状況に応じてその過程に特徴付けられる関連画像５０ａ等を継続的にその移動経路に沿って順次表示することで、長時間使用したとしてもユーザを飽きさせることなく、ユーザに対して常に興味を抱かせ続けることが可能である。
【０１２４】
（III）第３実施例
最後に、本願の更に他の実施例である第３実施例に係る情報表示システムの処理について、具体的に図１０を用いて説明する。なお、図１０は第３実施例に係る情報表示システムに含まれる携帯電話機ＭＰの処理を示すフローチャート等である。また以下の説明において、第１実施例に係る携帯電話機ＭＰと同一の部材については、同一の部材番号を付して細部の説明を一部省略する。また、第３実施例に係るトップ画面情報には、第１又は第２実施例に係るトップ画面情報と同様に地理的要素が含まれている。
【０１２５】
上述した第１及び第２実施例では、ユーザの現在位置に対応する地理的位置情報４に関連付けられた関連画像５や地点情報６とトップ画面情報とにより構成されるトップ画面２を表示部１２に表示するものであった。これに対して以下に説明する第３実施例では、トップ画面２を構成するものとして、表示部１２に表示される当該関連画像５に関連する他の情報を、更に表示部１２に表示する。
【０１２６】
ここで、当該他の情報として具体的には、例えば、イベント（花火大会）等が開催されている場合、表示部１２にはトップ画面２を構成するものとして当該イベントに関連する関連画像５が表示されることとなるが、これに加えて、当該関連画像５が関連付けられている地理的位置情報４に関連付けられている地点情報６からそのイベントの終了時刻情報を取得し、当該イベント終了時刻前にユーザを最寄り駅まで誘導する誘導案内情報を表示する。なお、第３実例に係るサーバＳＶとしての処理は、基本的には第１実施例に係るサーバＳＶにおける処理と同様であるので、細部の説明を一部省略する。
【０１２７】
第３実施例に係る処理の前提として、第３実施例に係るサーバＳＶの記憶部２１には、携帯電話機ＭＰの表示部１２上において地図を描画するための地図データが記憶されているものとする。
【０１２８】
図１０（ａ）に示すように、例えばユーザが上記イベントの会場に到達した際に、第３実施例に係る携帯電話機ＭＰのシステム制御部１５は、上記第１実施例に係るステップＳ２０１の処理と同様に、ユーザによる指示操作に応じてメニュー表示画面を表示部１２に表示し（ステップＳ５０１）、その後開始部２２は、当該メニュー表示画面内のメニューを用いたユーザによるアプリケーションの指定操作に応じて、第１実施例に係るステップＳ２０２の処理と同様にサーバＳＶとの通信接続を確立させる（ステップＳ５０２）。
【０１２９】
次に、システム制御部１５の位置情報取得部１６は、例えばＧＰＳ測位部１４を用いて携帯電話機ＭＰの現在位置を示す現在位置情報を取得して記憶する（ステップＳ５０３）。その後システム制御部１５は、当該取得した現在位置情報に対応する地理的位置情報４に適合したトップ画面２の表示処理を行う（ステップＳ５０４）。
【０１３０】
このステップＳ５０４の処理として具体的に、先ずシステム制御部１５は、サーバＳＶに対して、関連画像５の画像要求情報と上記現在位置情報とを送信する（図６ステップＳ２０５参照）。この現在位置情報等の送信に対応してサーバＳＶの関連画像抽出部１８は、その記憶部２１内において当該送信されて来た現在位置情報により示される現在位置に対応する地理的位置情報４に関連付けられている関連画像５及び地点情報６を検索／抽出し、それらを対応するトップ画面情報（地理的要素を含む）と共に携帯電話機ＭＰに送信する。
【０１３１】
これにより、当該送信されて来た関連画像５等を受信した携帯電話機ＭＰの関連画像取得部２３及び表示制御部２０は、当該取得したトップ画面情報（地理的要素を含む）及び関連画像５等を含むトップ画面２を表示部１２に表示する。ここで、当該表示されているトップ画面２を構成する関連画像５としては、ユーザが参加している当該イベントに関連する関連画像（例えば、花火画像）５が挙げられる。
【０１３２】
次にシステム制御部１５は、ステップＳ５０４の処理によりサーバＳＶから取得された地点情報６にイベント終了時刻情報が含まれている時はこれを取得し（ステップＳ５０５）、その後図１０（ｂ）に示すように、トップ画面２を構成するものとして表示部１２に表示されている関連画像５内に「最寄り駅案内」ボタンＢを重畳して表示する（ステップＳ５０６）。なおこの最寄り駅案内ボタンＢについては、図１０（ｂ）に例示するようにこれをトップ画面２の一部を構成する画像として表示部１２に表示する他に、操作部１３における操作によりその機能を指定するように構成することもできる。
【０１３３】
これによりシステム制御部１５は、ユーザの操作によって当該最寄り駅案内ボタンＢが押下されたか否かを確認し（ステップＳ５０７）、その操作が為されない場合（ステップＳ５０７；ＮＯ）、システム制御部１５は次に、位置情報取得部１６を用いてユーザの移動による現在位置の変更があったか否かを確認し（ステップＳ５１０）、当該変更があった場合には（ステップＳ５１０；ＹＥＳ）、上記ステップＳ５０４に戻って当該ステップＳ５０４以降の処理を実行する。
【０１３４】
一方、ステップＳ５１０の確認において現在位置の変更がない場合（ステップＳ５１０；ＮＯ）、システム制御部１５は次に、ユーザによって携帯電話機ＭＰの電源スイッチがオフとされたか否かを判断し（ステップＳ５１１）、当該電源スイッチがオフとされた場合には（ステップＳ５１１；ＹＥＳ）そのまま第３実施例に係る携帯電話機ＭＰとしての処理を終了し、電源スイッチがオフとされない場合は（ステップＳ５１１；ＮＯ）、上記ステップＳ５１０に戻ってトップ画面情報（地理的要素を含む）及び関連情報５により構成されるトップ画面２の表示処理を継続する。
【０１３５】
一方、ステップＳ５０７の確認において最寄り駅案内ボタンＢの押下操作が為された場合（ステップＳ５０７；ＹＥＳ）、システム制御部１５は、サーバＳＶに対して最寄り駅までの地図情報の送信要求を行う。そして、当該送信要求を受信したサーバＳＶのシステム制御部３３は当該送信要求に基づいて最寄り駅への経路探索処理を行い、現在位置から最寄り駅までの経路を含む地図情報を携帯電話機ＭＰに送信する。
【０１３６】
これにより携帯電話機ＭＰのシステム制御部１５は、当該地図情報を受信し（ステップＳ５０８）、当該受信した地図情報を用いて現在位置（即ちイベント会場）から最寄り駅までの経路を含む地図を表示部１２に表示する（ステップＳ５０９）。その後システム制御部１５は、上記ステップＳ５１０以降の処理に移行する。
【０１３７】
以上説明した第３実施例に係る情報表示システムの処理によれば、関連画像５を含むトップ画面２を表示部１２に表示した際、更に当該関連画像５に関連する他の情報を併せて表示する。この第３実施例の場合には、上記案内すべき経路を含む地図を表示部１２に表示することで、花火大会終了後、ユーザは速やかに最寄り駅まで移動することができるため極めて便利である。このような表示によって、ユーザに対して常に興味を抱かせることが可能である。
【０１３８】
なお、上述した最寄り駅への案内途上が非常に混雑する種類のイベントである場合、敢えて、最寄り駅よりも遠い駅（換言すれば、混雑しないことによって結果的に早く辿り着ける駅）に案内するように構成することもできる。
【０１３９】
以上に夫々説明したように、実施形態及び各実施例に係る情報表示システムＳ等の処理によれば、ユーザの現在位置に対応する地理的位置情報４に関連付けられた関連画像５を抽出し、当該抽出した関連画像５を含むトップ画面２を表示部１２に表示するので、長時間使用したとしてもユーザに斬新な興味を抱かせて飽きさせないようにすることができる。
【０１４０】
また、関連画像５がトップ画面情報の内容に応じて管理されているので、トップ画面情報に関連する関連画像５を抽出するに当たって、容易に当該関連する関連画像５を抽出することができる。
【０１４１】
更に、関連画像５が地域の範囲を示す地理的位置情報４と関連付けられて記憶されている関連画像５であり、現在位置が含まれる地域の範囲を示す地理的位置情報４に関連付けられている関連画像５を取得するので、現在位置が含まれる地域の範囲を示す地理的位置情報４に関連付けられている関連画像５を表示部１２に表示することで、現在位置に対応した関連画像５を迅速に表示できる。
【０１４２】
更にまた、トップ画面２を構成するトップ画面情報（地理的要素を含む）や関連画像５をネットワークＮＷを介して受信する場合は、当該トップ画面情報等を携帯電話機ＭＰにおいて生成する必要がなく、携帯電話機ＭＰにおける処理負担を軽減しつつ、迅速に関連画像５の表示に移行することができる。
【０１４３】
また、第３実施例に係る処理によれば、配信要求に対応した地図データがサーバＳＶから送信されて来るので、関連画像５と、当該関連画像５に対応する地図と、を表示部１２に表示することができる。
【０１４４】
更に、携帯電話機ＭＰにおいて取得された現在位置情報が変更された場合、即ち携帯電話機ＭＰの現在位置が変化した場合に改めて当該変化後の現在位置に対応する地理的位置情報４に関連付けられている関連画像５をサーバＳＶから取得するので、携帯電話機ＭＰの移動に伴って表示部１２に表示される関連画像５がその都度変化することとなり、そのユーザにより斬新な興味を抱かせることができる。
【０１４５】
更にまた、取得した時刻情報に応じて関連画像５の背景の色調を変更させる場合には、例えば夕暮れや朝焼け時等、時刻に応じて表示される背景の色調が変更されることでそのユーザにより斬新な興味を抱かせることができる。
【０１４６】
また、関連画像５と共にその地点や地域に付随する地点情報６も併せて表示されるので、ユーザにより斬新な興味を抱かせると共に、その利便性に供させることができる。
【０１４７】
更に、関連画像５が表示部１２における背景画像として表示されるので、本来表示されるべき情報の当該表示に影響を及ぼすことなく、関連画像５を表示することができる。
【０１４８】
更にまた、携帯電話機ＭＰの電源がオンとされたときにトップ画面２の表示処理等を開始させる場合には、携帯電話機ＭＰの使用開始時において迅速に関連画像５等の取得を開始することができる。
【０１４９】
なお、上述した実施形態及び実施例では、トップ画面情報（地理的要素を含む）及び関連画像５等により構成されるトップ画面２を携帯電話機ＭＰの表示部１２に表示するに当たっては、携帯電話機ＭＰ内の図示しないＲＯＭに予め記憶されている表示用プログラムを読み出して実行することで当該トップ画面２の表示を行うことしたが、これ以外に、当該表示用プログラムをサーバＳＶの記憶部２１に記憶しておき、トップ画面情報（地理的要素を含む）及び関連画像５等をサーバＳＶから取得するときに併せて当該表示用プログラムをもサーバＳＶから取得してトップ画面２の表示処理に供させるように構成することもできる。
【０１５０】
更に、本願に係る「情報配信を受けるための処理」には、上述した実施形態及び各実施例における通信接続の確立処理に加えて、当該確立前の、情報配信を受けるために必要なサーバＳＶに接続する（いわゆるアクセする）だけの処理も含まれる。
【０１５１】
また、通信接続を確立させた後にユーザの現在位置に対応する地理的位置情報４に関連付けられた関連画像５を含むトップ画面２を表示部１２に表示する携帯電話機ＭＰの処理として本願を説明したが、これ以外に、例えば歩行者用通信ナビゲーション装置やカーナビゲーション装置に対して本願を適用することも可能である。
【０１５２】
更に上記各実施例においては、端末装置Ｍとして携帯電話機ＭＰを適用したが、例えば、ＰＤＡ（Personal Digital Assistant）等の他の携帯型の端末装置を適用しても構わない。
【０１５３】
また、図４、図６乃至図８及び図１０（ａ）に記載されたフローチャートに対応するプログラムを、フレキシブルディスク等の記録媒体に記録しておき、又はインターネット等のネットワークを介して取得して記憶しておき、これらをマイクロコンピュータ等により読み出して実行することにより、当該マイクロコンピュータを、実施形態又は各実施例に係るシステム制御部１５又は３３として活用することも可能である。
【符号の説明】
【０１５４】
２    トップ画面
５、５０ａ、５０ｂ、５０ｃ、５０ｄ、５０ｅ    関連画像
５ａ    方向画像
５ｂ    特徴画像
６    地点情報
１５、３３  システム制御部
１７    特定部
１８    関連画像抽出部
２０    表示制御部
２１    記憶部
２２    開始部
Ｓ、ＳＳ    情報表示システム
Ｍ    端末装置
Ｂ    最寄り駅案内ボタン
ＳＶ    サーバ
ＤＢ    データベース
ＭＰ    携帯電話機
【図１】
2010277326.tif 000003
【図２】
2010277326.tif 000004
【図３】
2010277326.tif 000005
【図４】
2010277326.tif 000006
【図５】
2010277326.tif 000007
【図６】
2010277326.tif 000008
【図７】
2010277326.tif 000009
【図８】
2010277326.tif 000010
【図９】
2010277326.tif 000011
【図１０】
2010277326.tif 000012